(57)【要約】【課題】効果的な広告の掲出ができる動画中継システムおよび動画中継方法を提供する。【解決手段】動画中継装置１００は、動画蓄積サーバに蓄積されている動画を通信回線を介して取得し、広告蓄積サーバ５００に蓄積されている広告情報を通信回線を介して取得し、取得した動画および広告情報を多重化した動画データを生成し、生成した動画データを端末装置３００に送出する。これにより、端末装置３００には、複数の動画とともに広告情報が再生表示される。【選択図】  図９
2005311692.tif 000002
【特許請求の範囲】
【請求項１】
動画データを蓄積した複数の動画蓄積サーバと、
広告データを蓄積した広告蓄積サーバと、
前記動画蓄積サーバに蓄積されている動画データを通信回線を介して取得する動画データ取得手段と、広告蓄積サーバに蓄積されている広告データを通信回線を介して取得する広告データ取得手段と、前記動画データ取得手段および前記広告データ取得手段により取得された動画データおよび広告データを多重化した多重化データを生成する多重化データ生成手段と、生成した多重化データを送出する送出手段と、多重化した広告データに応じた料金を計算する料金計算手段とを有する動画中継装置と
を備えたことを特徴とする動画中継システム。
【請求項２】
前記広告データは、広告画像、広告音声、広告キャプションおよび広告動画の何れかから構成される
ことを特徴とする請求項１記載の動画中継システム。
【請求項３】
前記動画データの属性を示す属性情報を格納した属性情報データベースをさらに備え、
前記広告データ取得手段は、前記動画データ取得手段により取得された動画データの属性情報に基づいて前記広告データを取得する
ことを特徴とする請求項１または２記載の動画中継システム。
【請求項４】
前記動画データ取得手段は、端末装置から送出された動画配信要求に基づいて前記動画蓄積サーバに蓄積されている動画データを取得し、
前記送出手段は、前記多重化データを前記端末装置に送出する
ことを特徴とする請求項１乃至３の何れか１項に記載の動画中継システム。
【請求項５】
複数の動画蓄積サーバに蓄積されている各々の動画データを通信回線を介して取得し、
広告蓄積サーバに蓄積されている広告データを通信回線を介して取得し、
取得した動画データおよび広告データを多重化した一つの多重化データを生成し、
生成した多重化データを前記端末装置に送出し、
多重化した広告データに応じた料金を計算する
ことを特徴とする動画中継方法。
【請求項６】
前記広告データは、広告画像、広告音声、広告キャプションおよび広告動画の何れかから構成される
ことを特徴とする請求項５記載の動画中継方法。
【請求項７】
前記動画データの属性を示す属性情報に基づいて前記広告データを取得する
ことを特徴とする請求項５または６記載の動画中継方法。
【請求項８】
端末装置から送出された動画配信要求に基づいて前記動画データを取得し、
前記端末装置に前記多重化データを送出する
ことを特徴とする請求項５乃至７の何れか１項に記載の動画中継方法。
【発明の詳細な説明】
【技術分野】
【０００１】
本発明は、サーバ装置に用意された動画データを端末装置へ中継する動画中継システムおよび動画中継方法に関するものである。
【背景技術】
【０００２】
インターネットなどのネットワーク（通信回線）を介して、動画が蓄積されている動画蓄積サーバよりクライアント側の端末装置に動画を配信し、端末装置で動画を視聴するシステムが開発されている（特許文献１，２参照）。このようなシステムでは、端末装置の画面上において、動画の周辺、または動画の内部に画像、音声、動画等からなる広告を掲出することがなされている。
なお、出願人は、本明細書に記載した先行技術文献情報で特定される先行技術文献以外には、本発明に関連する先行技術文献を出願時までに発見するには至らなかった。
【特許文献１】特開平９−０１８８４６号公報
【特許文献２】特開平９−２１４８６９号公報
【発明の開示】
【発明が解決しようとする課題】
【０００３】
ところで、端末装置において、複数の動画を受信して視聴可能とするためには、上述した演算処理を、各々の画像の表示について行うことになる。したがって、１つの端末装置で、複数の動画を同時に再生表示させようとすると、端末装置には、非常に高い演算処理能力が必要となる。しかしながら、一般的な端末装置には、上述したような高い演算処理能力はなく、従来では、数十におよぶ複数の動画を、１台の端末装置で同時に再生表示させることが困難であった。このため、動画とともに掲出する広告についても、従来の端末装置において再生表示させることが困難であり、結果として効果的な広告の掲出ができなかった。また、広告が所望する再生速度や解像度で掲出されないので、広告を提供する広告業者の不満も引き起こしていた。
そこで、本発明は、上述したような課題を解消するためになされたものであり、効果的な広告の掲出ができる動画中継システムおよび動画中継方法を提供することを目的とする。
【課題を解決するための手段】
【０００４】
上述したような課題を解決するために、本発明にかかる動画中継システムは、動画データを蓄積した複数の動画蓄積サーバと、広告データを蓄積した広告蓄積サーバと、動画蓄積サーバに蓄積されている動画データを通信回線を介して取得する動画データ取得手段と、広告蓄積サーバに蓄積されている広告データを通信回線を介して取得する広告データ取得手段と、動画データ取得手段および広告データ取得手段により取得された動画データおよび広告データを多重化した多重化データを生成する多重化データ生成手段と、生成した多重化データを送出する送出手段と、多重化した広告データに応じた料金を計算する料金計算手段とを有する動画中継装置とを備えたことを特徴とする。
【０００５】
上記動画中継システムにおいて、広告データは、広告画像、広告音声、広告キャプションおよび広告動画の何れかから構成されるようにしてもよい。
また、上記動画中継システムにおいて、動画データの属性を示す属性情報を格納した属性情報データベースをさらに備え、広告データ取得手段は、動画データ取得手段により取得された動画データの属性情報に基づいて広告データを取得するようにしてもよい。
さらに、上記動画中継システムにおいて、動画データ取得手段は、端末装置から送出された動画配信要求に基づいて動画蓄積サーバに蓄積されている動画データを取得し、送出手段は、多重化データを端末装置に送出するようにしてもよい。
【０００６】
また、本発明にかかる動画中継方法は、複数の動画蓄積サーバに蓄積されている各々の動画データを通信回線を介して取得し、広告蓄積サーバに蓄積されている広告データを通信回線を介して取得し、取得した動画データおよび広告データを多重化した多重化データを生成し、生成した多重化データを送出し、多重化した広告データに応じた料金を計算することを特徴とする。
【０００７】
上記動画中継方法において、広告データは、広告画像、広告音声、広告キャプションおよび広告動画の何れかから構成されるようにしてもよい。
また、上記動画中継方法において、動画データの属性を示す属性情報に基づいて広告データを取得するようにしてもよい。
さらに、上記動画中継方法において、端末装置から送出された動画配信要求に基づいて動画データを取得し、端末装置に多重化データを送出するようにしてもよい。
【発明の効果】
【０００８】
本発明によれば、動画データとともに広告データを多重化した１つの多重化データを作成することにより、高い処理能力を備えていない端末装置であっても、サーバより配信される複数の動画データとともに広告データを同時に再生表示できる。これにより、効果的な広告掲出が可能となる。
【発明を実施するための最良の形態】
【０００９】
以下、本発明の実施の形態について図を参照して説明する。
図１は、動画中継装置の構成例を示す構成図である。図１に示すように、動画中継装置１００は、回線接続部１０１，１０２と、複数の動画処理部１０３と複数の多重化処理部１０４とを備えている。これらは、制御バス１０５，データバス１０６を介して制御部１０７に接続している。動画処理部１０３と多重化処理部１０４は、制御バス１０５を介して制御部１０７により制御され、また、データバス１０６を介してフレーム画像情報を送受信する。
【００１０】
回線接続部１０１および回線接続部１０２は、動画蓄積サーバ２００および端末装置３００と通信回線４０１，４０２により接続し、例えば「Ethernet」（Ｒ）や「ADSL(Asymmetric Digital Subscriber Line)」のようなコンピュータ間接続方式によって通信を行う。制御部１０７は、端末装置３００より送出された画像中継要求にしたがって、回線接続部１０１，回線接続部１０２，動画処理部１０３，多重化処理部１０４を制御する。
【００１１】
図２に示すように、例えば、端末装置３００より、動画蓄積サーバＡ２００ａに格納されている動画Ａ，動画蓄積サーバＢ２００ｂに格納されている動画Ｂ，動画蓄積サーバＣ２００ｃに格納されている動画Ｃの取得要求が送出されると、これは、通信回線を介して動画中継装置１００に受信される。
要求を受信した動画中継装置１００では、制御部１０７が動画処理部Ａ１０３ａ，動画処理部Ｂ１０３ｂ，動画処理部Ｃ１０３ｃを制御し、動画蓄積サーバＡ２００ａ，動画蓄積サーバＢ２００ｂ，動画蓄積サーバＣ２００ｃより、各々動画Ａ，動画Ｂ，動画Ｃを取得させる。
【００１２】
各サーバに蓄積されている動画データは、所定のアルゴリズムによってエンコードされている。したがって、動画処理部Ａ１０３ａ，動画処理部Ｂ１０３ｂ，動画処理部Ｃ１０３ｃでは、まず、取得した動画Ａ，動画Ｂ，動画Ｃを、デコードし、各々連続したフレーム画像シーケンスを生成する。また、動画処理部Ａ１０３ａ，動画処理部Ｂ１０３ｂ，動画処理部Ｃ１０３ｃは、生成した各フレーム画像に対し、拡大縮小，ＪＰＥＧ圧縮などの２次元画像処理を施し、各フレーム画像に、フレーム番号，タイムコードなどの、変換元の動画データとの対応やフレームの順序を示す識別子を付加する。
【００１３】
これらのことにより、各動画処理部で各々フレーム画像が生成されると、制御部１０７の制御により、多重化処理部１０４が、これらに画像識別子をつけて時分割多重化し、１つのフレーム画像シーケンス（多重化データ）として生成する。多重化処理部１０４が生成した１つのフレーム画像シーケンスは、通信回線４０２を介して端末装置３００に送出される。送出された１つのフレーム画像シーケンスは、端末装置３００に受信され、各フレーム画像につけられた画像識別子，フレーム番号，およびタイムコードなどが利用され、端末装置３００の表示部に再生表示される。
【００１４】
以上に説明したようにして中継を行う動画中継装置１００は、図３に示すように、ＴＣＰ／ＩＰなどのプロトコルによるネットワーク４００により、動画蓄積サーバＡ２００ａ，動画蓄積サーバＢ２００ｂ，動画蓄積サーバＣ２００ｃや、複数の端末装置３００と接続することが可能である。また、図３に示すように、ネットワーク４００に、複数の動画中継装置１００が接続した形態であってもよい。
【００１５】
図４は、動画処理部１０３の構成例を示す構成図である。以下に、動画処理部１０３の動作例について説明する。
制御部１０７からの動画処理要求を受け付けると、動画処理部１０３では、動画データ取得モジュール１３１が、回線接続部１０１を経由し、例えば動画蓄積サーバＡ２００ａに蓄積されている動画Ａ（動画データ）の取得を行う。動画データ取得モジュール１３１は、取得した動画Ａを、逐次的に動画データ保存バッファ１３３に記録する。動画データ保存バッファ１３３によって、ネットワークのトラフィック混雑による動画取得速度の変動を、ある程度均一化することが可能となる。
【００１６】
データ保存バッファ１３３に動画Ａが記録されると、動画デコードモジュール１３２が、この動画Ａを読み出し、読み出した動画Ａのデコードを行い、フレーム画像を生成する。動画デコードモジュール１３２は、例えば、ＭＰＥＧ１，ＭＰＥＧ２，ＭＰＥＧ４，またはＡＶＩなどの各動画形式について、デコードを行うものである。動画デコードモジュール１３２は、フレーム画像を生成すると、１フレームずつ出力する。
【００１７】
動画デコードモジュール１３２よりフレーム画像が出力されると、フレーム画像編集モジュール１３４が、出力された各フレーム画像に対し、所定の画像処理を行う。フレーム画像編集モジュール１３４は、例えば、各フレーム画像に対し、拡大縮小やトリミングなどの画像サイズ，フレーム画像の色深度，フレームレートなどの動画パラメータの変換や、フレーム画像のＪＰＥＧ方式などによる２次元圧縮，および他の２次元画像処理を行う。例えば、拡大縮小やトリミングなどにより、画像サイズを変更する。これらの処理は、端末装置３００における演算処理能力や表示の性能に、フレーム画像の状態を適応させるものであり、端末装置３００より送出された中継指示に基づいて行う。
【００１８】
また、フレーム画像編集モジュール１３４は、処理済みの各フレーム画像に対し、動画識別子，フレーム番号，タイムコードなどのフレーム情報を付加し、各々独立したフレーム画像データとしてフレーム画像データ保存バッファ１３５に記録する。フレーム画像データ保存バッファ１３５に記録されたフレーム画像データは、図５に示す多重化処理部１０４に送出される。
【００１９】
図５は、多重化処理部１０４の構成例を示す構成図である。以下に、多重化処理部１０４の動作例について説明する。
多重化処理部１０４は、動画多重化スケジューラ１４１と、複数フレーム画像を記録可能なフレームメモリを内蔵した動画多重化用タイムスロット１４２を備えている。
【００２０】
多重化処理部１０４は、制御部１０７の制御により、動画処理部Ａ１０３ａ，動画処理部Ｂ１０３ｂ，動画処理部Ｃ１０３ｃから画像フレームデータを取得し、端末装置３００より送出された中継指示情報に則り、タイムスロットによる時分割多重化方式を利用して１つのフレーム画像シーケンスとし、これらを回線接続部１０２を経由して端末装置３００に送出する。
【００２１】
例えば、各動画蓄積サーバに格納されている各動画の諸元が、以下の表１に示すものであるのに対し、端末装置３００からは、以下の表２に示すような中継指示が送出される。
【００２２】
【表１】
2005311692.tif 000003
【００２３】
【表２】
2005311692.tif 000004
【００２４】
多重化処理部１０４では、上記表２の中継指示情報に対応するように、以下の表３に示すような、多重化された動画データである動画Ｄ（多重化データ）を生成する。
【００２５】
【表３】
2005311692.tif 000005
【００２６】
多重化処理部１０４では、動画多重化スケジューラ１４１が、図６に示すような多重化スケジュールにより、各動画を構成している動画フレームを、動画多重化用タイムスロット１４２に格納し、多重化された動画データである動画Ｄを生成する。
動画多重化用タイムスロット１４２の各スロット＃０１，＃０２・・・は、図６に示すように、各々さらに分割されている。図６の例では、各スロットが、４つに分割された状態を示している。
【００２７】
以下、動画Ｄの生成について簡単に説明する。
表２に示したように、動画Ａは、変換後フレームレートが３０ｆｐｓであるため、動画Ａのフレーム番号００１，００２，００３・・・の動画フレームは、スロット番号＃０１のタイムスロット番号＃００１，スロット番号＃０２のタイムスロット番号＃００５，スロット番号＃０３のタイムスロット番号＃００９，スロット番号＃０４のタイムスロット番号＃０１３・・・と、４つ毎のタイムスロットに書き込まれる。
【００２８】
動画Ｂは、変換後フレームレートが１５ｆｐｓと半分になるため、動画Ｂのフレーム番号００１，００２・・・の動画フレームは、１つおきに間引かれて、スロット番号＃０１のタイムスロット番号＃００２，スロット番号＃０３のタイムスロット番号＃０１０・・・と、８つ毎のタイムスロットに書き込まれる。
動画Ｃは、フレームレートが変換前と変換後とが１５ｆｐｓと変化しないので、動画Ｂのフレーム番号００１，００２・・・の動画フレームは、スロット番号＃０１のタイムスロット番号＃００３，スロット番号＃０３のタイムスロット番号＃０１１・・・と、８つ毎のタイムスロットに書き込まれる。
【００２９】
本例の場合、フレームレートが３０ｆｐｓと１５ｆｐｓの動画データを多重化するため、フレームレート３０ｆｐｓの動画フレームは、スロット番号＃０１，＃０２，＃０３・・・に格納し、フレームレート１５ｆｐｓの動画フレームは、スロット番号＃０１，＃０３・・・と１つおきに格納している。
【００３０】
また、各スロットをさらに分割し、各スロットに同じ表示タイミングの複数のフレーム画像を格納している。本例では、各スロットを４分割し、４つのフレーム画像を格納可能としている。本例では、同じタイミングとなる最大のフレーム画像数は３個なので、各スロットにおいて、４つ目のタイムスロットが空きとなる。
【００３１】
以上のようにして、動画多重化スケジューラ１４１が、動画多重化用タイムスロット１４２に各動画フレームを書き込むことにより、多重化された動画Ｄ（多重化データ）が生成される。この多重化データは、１つの動画データとして端末装置３００に送出される。  多重化された動画データは、端末装置３００において受信され、再生されるが、このときの端末装置３００は、１つの動画データを再生する処理を行うだけでよい。このように生成された動画Ｄが端末装置３００において再生されると、端末装置３００の演算処理能力に適合された状態で、動画Ａ，動画Ｂ，動画Ｃに対応する３つの動画が同時に表示されるようになる。
【００３２】
なお、図７に示すように、複数の制御バス１０５，データバス１０６を設け、また、複数の専用回線接続部を用いることで、バスの輻輳を抑制し、また、回線へのアクセス速度を向上させ、動画中継装置の性能を向上させるようにしてもよい。図７では、３つの動画データ取得専用回線接続部１１１と、３つの動画データ送出専用回線接続部１１２とを備えるようにしたものである。
【００３３】
また、図８に示すように、インターネットなどの広域網４１０を介して各動画蓄積サーバと動画中継装置１００と端末装置３００とを接続するようにしてもよい。また、動画中継センタ１００ａに複数の動画中継装置１００を格納し、これを広域網４１０に接続するようにしてもよい。
【００３４】
次に、本実施の形態にかかる動画中継システムについて説明する。図９は、動画中継システムの構成例を示す構成図である。本実施の形態にかかる動画中継システムは、端末装置３００に対してユーザが所望する動画に広告情報を多重して送信するものである。
図９に示すように、動画中継システムは、複数の動画中継装置１００を格納した動画中継センタ１００ａと、それぞれ動画Ａ、動画Ｂ、動画Ｃを格納した動画蓄積サーバＡ２００ａ、動画蓄積サーバＢ２００ｂ、動画蓄積サーバＣ２００ｃと、端末装置３００と、広告提供者から提供された広告情報を格納した広告蓄積サーバ５００と、動画に関する属性情報を格納した動画属性情報データベース６００とを有し、それぞれはインターネットなどの広域網４１０を介して接続されている。
ここで、広告情報としては、広告画像、広告音声、広告キャプション、広告動画などが挙げられる。
【００３５】
例えば、端末装置３００により、動画蓄積サーバＡ２００ａに格納されている動画Ａ、動画蓄積サーバＢ２００ｂに格納されている動画Ｂの取得要求が送出されると、これは、通信回線および広域網４１０を介して動画中継センタ１００ａに受信される。動画中継センタ１００ａは、負荷分散装置を備えており、各動画中継装置１００の負荷状態に応じて１台の動画中継装置１００を選択して端末装置３００に割り当てる。
【００３６】
図１０に示すように、割り当てられた動画中継装置１００は、制御部１０７が動画処理部Ａ１０３ａ，動画処理部Ｂ１０３ｂを制御し、動画蓄積サーバＡ２００ａ，動画蓄積サーバＢ２００ｂより、各々動画Ａ，動画Ｂを取得させる。
また、動画中継装置１００は、制御部１０７が動画属性情報データベース６００に動画蓄積サーバＡ２００ａ，動画蓄積サーバＢ２００ｂが取得した動画Ａ，動画Ｂに関する情報を送信し、動画属性情報データベース６００から動画Ａ、動画Ｂの属性情報を取得する。この取得した属性情報に基づいて、動画中継装置１００は、制御部１０７が動画処理部Ｃ１０３ｃを制御し、動画Ａ，動画Ｂに適した広告情報を広告蓄積サーバ５００から取得させる。
【００３７】
例えば、動画中継装置１００の制御部１０７は、図１１（ａ）に示す広告蓄積サーバ５００に格納された各広告動画の情報と、図１１（ｂ）に示す動画属性情報データベース６００に格納された各動画蓄積サーバに格納された各動画の属性情報に基づいて、端末装置３００から要求された動画に適した広告動画を選択する。
【００３８】
動画処理部Ａ１０３ａ，動画処理部Ｂ１０３ｂ，動画処理部Ｃ１０３ｃでは、まず、取得した動画Ａ，動画Ｂおよび広告動画を、デコードし、各々連続したフレーム画像シーケンスを生成する。また、動画処理部Ａ１０３ａ，動画処理部Ｂ１０３ｂ，動画処理部Ｃ１０３ｃは、生成した各フレーム画像に対し、拡大縮小，ＪＰＥＧ圧縮などの２次元画像処理を施し、各フレーム画像に、フレーム番号，タイムコードなどの、変換元の動画データとの対応やフレームの順序を示す識別子を付加する。
ここで、図１０の場合、動画処理部Ａ１０３ａは、動画Ａのフレーム画像に、動画Ａの属性に関連した広告動画をスーパーインポーズする処理を行う。
【００３９】
これらのことにより、各動画処理部で各々フレーム画像が生成されると、制御部１０７の制御により、多重化処理部１０４が、これらに画像識別子をつけて時分割多重化し、１つのフレーム画像シーケンスとして生成する。このフレーム画像シーケンス、すなわち多重化した動画データは、通信回線４０２および広域網４１０を介して端末装置３００に送出される。送出された動画データは、端末装置３００に受信され、各フレーム画像につけられた画像識別子，フレーム番号，およびタイムコードなどが利用され、端末装置３００の表示部に再生表示される。
図１０の場合、端末装置３００の表示部には、端末装置３００の演算処理能力に適合された状態で、広告動画がインポーズされた動画Ａおよび動画Ｂが同時に表示される。ここで、広告動画は、動画Ａの属性に基づいて選択されており、かつ、図１０中の端末装置３００の表示画面の拡大図によく示されるように、拡大動画Ａにスーパーインポーズされた状態で端末装置３００の表示部に表示される。したがって、本実施の形態によれば、端末装置３００のユーザに対して効果的な広告掲出を行うことが可能となる。
【００４０】
また、本実施の形態によれば、広告動画が１つの動画データに多重化されることにより、広告業者が所望する再生速度や解像度で広告動画が端末装置３００に再生されるので、端末装置３００のユーザに対して効果的な広告掲出を行えるとともに、広告業者にとっても満足度の高い広告の掲出が行える。
【００４１】
ここで、制御部１０７は、多重化処理部１０４により生成される動画データにおいて、広告動画の再生時間、動画データ中に占める広告動画のサイズ、広告動画の解像度等の広告動画のデータ量に応じて料金を計算する。これにより、広告動画のデータ量に応じた課金が可能となる。
【００４２】
なお、広告情報の動画データへの多重化は、図１０のようなスーパーインポーズのみならず、図１２に示すように、動画Ａ、動画Ｂに対してさらに広告動画を追加多重化するようにしてもよい。ここで、広告動画は、動画Ａおよび動画Ｂの少なくとも一方の属性に基づいて選択されており、かつ、動画Ａ、動画Ｂとともに同時に端末装置３００の表示部に表示される。したがって、本実施の形態によれば、端末装置３００のユーザに対して効果的な広告掲出を行うことが可能となる。
【００４３】
図９〜１２を参照して説明した動画中継システムの課金体系を図１３に示す。
本実施の形態にかかる動画中継システムで動画広告の掲出を広告提供者は、広告蓄積サーバ５００の管理業者との間で動画広告を動画中継システムに掲出する契約を結ぶとともに、この対価として広告蓄積サーバ５００への登録料金を広告蓄積サーバ５００の管理業者に支払う。
【００４４】
広告蓄積サーバ５００の管理業者は、動画中継センタ１００ａの管理者から広告動画を掲出するための広告掲出空間の提供を受けるとともに、この対価として広告掲出空間利用料金を動画中継センタ１００ａの管理者に支払う。
端末装置３００のユーザは、動画中継センタ１００ａに対して所望する動画の提供を要求するとともに、この対価として動画多重化料金を動画中継センタ１００ａの管理者に支払う。
【００４５】
動画中継センタ１００ａの管理者は、広告掲出空間および多重動画の提供の対価として、広告蓄積サーバ５００の管理業者から制御部１０７が計算した広告掲出空間の利用料金と、端末装置３００のユーザから動画多重化料金とを徴収する。このように動画中継センタ１００ａの管理者は、端末装置３００へ提供する動画へ広告動画を掲出する対価として、その広告動画が格納された広告蓄積サーバ５００の管理業者から広告掲出空間の利用料金を徴収する。この広告掲出空間の利用料金という収入源が確保できるので、動画中継センタ１００ａの管理者は、端末装置３００のユーザの動画多重化料金を、低価格または無料にすることが可能である。これにより、動画中継センタ１００ａの利用者が増加し、この増加に伴って動画中継センタ１００ａから提供する動画データも増加するので、本実施の形態の動画中継システムでは、多数の端末装置３００に広告動画を掲出できるため、結果として効果的な広告掲出が可能となる。
【００４６】
また、本実施の形態によれば、広告動画が広告業者が所望する解像度や再生速度で端末装置３００に確実に再生され、その広告動画のデータ量に応じた課金がされるので、広告業者にとっても納得のいく広告掲出の対価の支払いができる。
【００４７】
なお、上述した端末装置３００、動画中継センタ１００ａ、広告蓄積サーバ５００および広告提供者間の料金の授受は、クレジットカードを使った電子決済やネットトレーディングなど公知の方法を利用するようにしてもよい。
【図面の簡単な説明】
【００４８】
【図１】動画中継装置の構成例を示す構成図である。
【図２】図１に示す画像中継装置の動作を説明するための構成図である。
【図３】動画中継装置を用いたシステム構成例を示す構成図である。
【図４】動画処理部の構成例を示す構成図である。
【図５】多重化処理部の構成例を示す構成図である。
【図６】多重化スケジュールの一例を示すタイムチャートである。
【図７】動画中継装置の他の構成例を示す構成図である。
【図８】動画中継装置を用いた他のシステム構成例を示す構成図である。
【図９】本実施の形態にかかる動画中継システムの構成例を示す構成図である。
【図１０】図９に示す動画中継システムの動作を説明するための構成図である。
【図１１】（ａ）広告動画の情報の一例を示す模式図、（ｂ）動画属性情報データベース６００に格納されている属性情報の一例を示す模式図である。
【図１２】図９に示す動画中継システムの動作を説明するための他の構成図である。
【図１３】本実施の形態にかかる動画中継システムの課金体系を示す模式図である。
【符号の説明】
【００４９】
１００…動画中継装置、１０１，１０２…回線接続部、１０３…動画処理部、１０４…多重化処理部、１０５…制御バス、１０６…データバス、１０７…制御部、２００…動画蓄積サーバ、３００…端末装置、４０１，４０２…通信回線、５００…広告蓄積サーバ、６００…動画属性情報データベース。
【図１】
2005311692.tif 000006
【図２】
2005311692.tif 000007
【図３】
2005311692.tif 000008
【図４】
2005311692.tif 000009
【図５】
2005311692.tif 000010
【図６】
2005311692.tif 000011
【図７】
2005311692.tif 000012
【図８】
2005311692.tif 000013
【図９】
2005311692.tif 000014
【図１０】
2005311692.tif 000015
【図１１】
2005311692.tif 000016
【図１２】
2005311692.tif 000017
【図１３】
2005311692.tif 000018